(57)【要約】【課題】小型化と低廉化とを促進することができるコネクタを提供する。【解決手段】コネクタ１００を構成するハウジング１０は、ケース９０の内壁面９１に取り付けられるものであって、ハウジング１０は、電源端子２０が貫通したハウジング中央部分１２と、接地端子３０の一部が埋め込まれたハウジング内部分１１と、ハウジング内部分１１から突出して内壁面９１に対向するハウジングフランジ１４と、ハウジングフランジ１４に形成されたフランジ孔１５とを具備し、接地端子３０はハウジングフランジ１４に対向した接地端子屈曲部分３４を具備し、フランジ孔１５に配置されたカラー１６と接地端子屈曲部分３４に形成された接地端子孔３５とを貫通して内壁面９１に取り付けられたボルト９５によって、通電性のカラー１６が挟圧される。【選択図】図５
2019139838.tif 000002
【特許請求の範囲】
【請求項１】
通電性の電源端子および接地端子と、前記電源端子および前記接地端子が設置された非通電性のハウジングとを有し、通電性の容器に取り付けられるコネクタであって、
前記ハウジングは、前記容器の内側に突出するハウジング内部分と、前記容器を貫通するハウジング中央部分と、前記容器の外側に突出するハウジング外部分と、前記ハウジング内部分から突出して前記容器の壁面に対向するハウジングフランジと、前記ハウジングフランジに形成されたフランジ孔と、前記フランジ孔に配置された通電性の筒状のカラーとを具備し、
前記電源端子は、前記容器の内側に突出する電源端子内部分と、前記ハウジング中央部分を貫通した電源端子埋設部分と、前記容器の外側に突出する電源端子外部分とを具備し、
前記接地端子は、前記容器の内側に突出する接地端子内部分と、前記ハウジング内部分に埋設された接地端子埋設部分と、前記ハウジング内部分から突出して前記ハウジングフランジの内側の面に沿った接地端子屈曲部分と、前記接地端子屈曲部分に形成された接地端子孔とを具備し、
前記接地端子孔および前記カラーを貫通して前記容器の壁面に設置されるボルトによって、前記カラーが前記接地端子屈曲部分と前記容器の壁面とに挟圧され、前記接地端子屈曲部分が前記容器の壁面に前記カラーを介して接地されることを特徴とするコネクタ。
【請求項２】
通電性の電源端子および接地端子と、前記電源端子および前記接地端子が設置された非通電性のハウジングとを有し、通電性の容器に取り付けられるコネクタであって、
前記ハウジングは、前記容器の内側に突出するハウジング内部分と、前記容器を貫通するハウジング中央部分と、前記容器の外側に突出するハウジング外部分と、前記ハウジング内部分から突出して前記容器の壁面に対向するハウジングフランジと、前記ハウジングフランジに形成されたフランジ孔と、前記フランジ孔に配置された通電性の筒状のカラーとを具備し、
前記電源端子は、前記容器の内側に突出する電源端子内部分と、前記ハウジング中央部分を貫通した電源端子埋設部分と、前記容器の外側に突出する電源端子外部分とを具備し、
前記接地端子は、前記容器の内側に突出する接地端子内部分と、前記ハウジング内部分に埋設された接地端子埋設部分と、前記ハウジング内部分から突出して前記ハウジングフランジの外側の面に沿った接地端子屈曲部分と、前記接地端子屈曲部分に形成された接地端子孔とを具備し、
前記接地端子孔および前記カラーを貫通して前記容器の壁面に設置されるボルトによって、前記接地端子屈曲部分が前記カラーと前記容器の壁面とに挟圧され、前記接地端子屈曲部分が前記容器の壁面に直接接地されることを特徴とするコネクタ。
【請求項３】
通電性の電源端子および接地端子と、前記電源端子および前記接地端子が設置された非通電性のハウジングとを有し、通電性の容器に取り付けられるコネクタであって、
前記ハウジングは、前記容器の内側に突出するハウジング内部分と、前記容器を貫通するハウジング中央部分と、前記容器の外側に突出するハウジング外部分と、前記ハウジング外部分から突出して前記容器の壁面に対向するハウジングフランジと、前記ハウジングフランジに形成されたフランジ孔と、前記フランジ孔に配置された通電性の筒状のカラーとを具備し、
前記電源端子は、前記容器の内側に突出する電源端子内部分と、前記ハウジング中央部分を貫通した電源端子埋設部分と、前記容器の外側に突出する電源端子外部分とを具備し、
前記接地端子は、前記容器の内側に突出する接地端子内部分と、前記ハウジング中央部分を貫通した接地端子埋設部分と、前記ハウジング外部分から突出して前記ハウジングフランジの内側の面に沿った接地端子屈曲部分と、前記接地端子屈曲部分に形成された接地端子孔とを具備し、
前記接地端子孔および前記カラーを貫通して前記容器の壁面に設置されるボルトによって、前記接地端子屈曲部分が前記カラーと前記容器の壁面とに挟圧され、前記接地端子屈曲部分が前記容器の壁面に直接接地されることを特徴とするコネクタ。
【請求項４】
前記電源端子外部分の周囲と前記容器の壁面との間に封止剤が塗布されていることを特徴とする請求項１ないし３のいずれか１項に記載のコネクタ。
【発明の詳細な説明】
【技術分野】
【０００１】
本発明はコネクタ、特に容器の壁面を貫通して壁面に取り付けられるコネクタに関する。
【背景技術】
【０００２】
従来、車両のトランスミッションのミッションケースには、内部に配置された電装機器と外部とを接続するコネクタが設置されている。コネクタは、複数の端子が設置されたハウジングを有し、ハウジングの中央部分がミッションケースの壁面を液密的に貫通している。そして、ハウジングは、ボルト孔が形成されたフランジを具備し、ボルト孔を貫通したボルトによってミッションケースの壁面に取り付けられている（たとえば、特許文献１〜７参照）。
【先行技術文献】
【特許文献】
【０００３】
【特許文献１】特開２０１７−６９１１７号公報
【特許文献２】特開２０１７−６２９１７号公報
【特許文献３】特開２０１６−１２４３７号公報
【特許文献４】特開２０１５−１２５９７３号公報
【特許文献５】特開２０１５−３２４９７号公報
【特許文献６】特開２０１４−１３５１６１号公報
【特許文献７】特開２０１７−１５２１９０号公報
【発明の概要】
【発明が解決しようとする課題】
【０００４】
特許文献１〜７に開示されたコネクタは、ハウジングの中央部分を複数の端子が貫通しているため、中間部の外径が大きくなることによって、小型化が阻害されるという問題があった。また、小型化のため、内部に配置された電装機器の接地（アース）をミッションケースの壁面にとって、中間部を貫通する端子の数量を減らしたのでは、接地のための部材や作業が発生するため、製造コストが上昇するという問題があった。
【０００５】
本発明は、前記問題を解消するものであり、小型化と低廉化とを促進することができるコネクタを提供することにある。
【課題を解決するための手段】
【０００６】
本発明に係るコネクタは、通電性の電源端子および接地端子と、前記電源端子および前記接地端子が設置された非通電性のハウジングとを有し、通電性の容器に取り付けられるコネクタであって、
前記ハウジングは、前記容器の内側に突出するハウジング内部分と、前記容器を貫通するハウジング中央部分と、前記容器の外側に突出するハウジング外部分と、前記ハウジング内部分から突出して前記容器の壁面に対向するハウジングフランジと、前記ハウジングフランジに形成されたフランジ孔と、前記フランジ孔に配置された通電性の筒状のカラーとを具備し、
前記電源端子は、前記容器の内側に突出する電源端子内部分と、前記ハウジング中央部分を貫通した電源端子埋設部分と、前記容器の外側に突出する電源端子外部分とを具備し、
前記接地端子は、前記容器の内側に突出する接地端子内部分と、前記ハウジング内部分に埋設された接地端子埋設部分と、前記ハウジング内部分から突出して前記ハウジングフランジの内側の面に沿った接地端子屈曲部分と、前記接地端子屈曲部分に形成された接地端子孔とを具備し、
前記接地端子孔および前記カラーを貫通して前記容器の壁面に設置されるボルトによって、前記カラーが前記接地端子屈曲部分と前記容器の壁面とに挟圧され、前記接地端子屈曲部分が前記容器の壁面に前記カラーを介して接地されることを特徴とする。
また、通電性の電源端子および接地端子と、前記電源端子および前記接地端子が設置された非通電性のハウジングとを有し、通電性の容器に取り付けられるコネクタであって、
前記ハウジングは、前記容器の内側に突出するハウジング内部分と、前記容器を貫通するハウジング中央部分と、前記容器の外側に突出するハウジング外部分と、前記ハウジング内部分から突出して前記容器の壁面に対向するハウジングフランジと、前記ハウジングフランジに形成されたフランジ孔と、前記フランジ孔に配置された通電性の筒状のカラーとを具備し、
前記電源端子は、前記容器の内側に突出する電源端子内部分と、前記ハウジング中央部分を貫通した電源端子埋設部分と、前記容器の外側に突出する電源端子外部分とを具備し、
前記接地端子は、前記容器の内側に突出する接地端子内部分と、前記ハウジング内部分に埋設された接地端子埋設部分と、前記ハウジング内部分から突出して前記ハウジングフランジの外側の面に沿った接地端子屈曲部分と、前記接地端子屈曲部分に形成された接地端子孔とを具備し、
前記接地端子孔および前記カラーを貫通して前記容器の壁面に設置されるボルトによって、前記接地端子屈曲部分が前記カラーと前記容器の壁面とに挟圧され、前記接地端子屈曲部分が前記容器の壁面に直接接地されることを特徴とする。
さらに、通電性の電源端子および接地端子と、前記電源端子および前記接地端子が設置された非通電性のハウジングとを有し、通電性の容器に取り付けられるコネクタであって、
前記ハウジングは、前記容器の内側に突出するハウジング内部分と、前記容器を貫通するハウジング中央部分と、前記容器の外側に突出するハウジング外部分と、前記ハウジング外部分から突出して前記容器の壁面に対向するハウジングフランジと、前記ハウジングフランジに形成されたフランジ孔と、前記フランジ孔に配置された通電性の筒状のカラーとを具備し、
前記電源端子は、前記容器の内側に突出する電源端子内部分と、前記ハウジング中央部分を貫通した電源端子埋設部分と、前記容器の外側に突出する電源端子外部分とを具備し、
前記接地端子は、前記容器の内側に突出する接地端子内部分と、前記ハウジング中央部分を貫通した接地端子埋設部分と、前記ハウジング外部分から突出して前記ハウジングフランジの内側の面に沿った接地端子屈曲部分と、前記接地端子屈曲部分に形成された接地端子孔とを具備し、
前記接地端子孔および前記カラーを貫通して前記容器の壁面に設置されるボルトによって、前記接地端子屈曲部分が前記カラーと前記容器の壁面とに挟圧され、前記接地端子屈曲部分が前記容器の壁面に直接接地されることを特徴とする。
さらに、前記電源端子外部分の周囲と前記容器の壁面との間に封止剤が塗布されていることを特徴とする。
【発明の効果】
【０００７】
本発明に係るコネクタは、ハウジング中央部分を電源端子のみが貫通するから、ハウジング中央部分の外径が小さくなることによって、小型化が促進される。また、封止剤の塗布範囲が狭くなり、封止剤の塗布量が削減され、さらに、ボルト１本によって容器に取り付けられるから、部品点数と共に作業工数が削減され、製造コストが低減する。
【図面の簡単な説明】
【０００８】
【図１】本発明の実施の形態１に係るコネクタを模式的に示す側面図である。
【図２】本発明の実施の形態１に係るコネクタを模式的に示す側面視の断面図である。
【図３】本発明の実施の形態１に係るコネクタを模式的に示す一部（接地端子）を抜き出して示す斜視図である。
【図４】本発明の実施の形態１に係るコネクタを模式的に示すものであって、図４の（ａ）は図１のＡ−Ａ断面を示す断面図、図４の（ｂ）は従来技術における図１のＡ−Ａ断面を相当する断面を示す断面図である。
【図５】本発明の実施の形態１に係るコネクタについてその取り付け構造を示す側面視の断面図である。
【図６】本発明の実施の形態１に係るコネクタについてその取り付け構造を示す一部を示す斜視図である。
【図７】本発明の実施の形態２に係るコネクタについてその取り付け構造を示す側面視の断面図である。
【図８】本発明の実施の形態３に係るコネクタについてその取り付け構造を示す側面視の断面図である。
【発明を実施するための形態】
【０００９】
以下、図面を参照しながら、本発明の実施の形態１〜３に係るコネクタについて説明する。なお、各図面は模式的に描かれているため、各部材の形状や大きさ、あるいは部材間の位置関係は図示された形態に限定されるものではない。また、容器として自動車のトランスミッションケースを例にして説明しているが、本発明はこれに限定されるものではない。
【００１０】
［実施の形態１］
（コネクタ）
図１〜図４は本発明の実施の形態１に係るコネクタを模式的に示すものであって、図１は側面図、図２は側面視の断面図、図３は一部（接地端子）を抜き出して示す斜視図、図４の（ａ）は図１のＡ−Ａ断面を示す断面図、図４の（ｂ）は従来技術における図１のＡ−Ａ断面を相当する断面を示す断面図である。
図１〜図３において、コネクタ１００は、絶縁性のハウジング１０とそれぞれ通電性の電源端子２０および接地端子（アース端子に同じ）３０とを有し、通電性のトランスミッションケース（以下「ケース」と称す）９０に設置されるものである（図５参照）。なお、電源端子２０は、動力としての電流や情報としての電気信号を伝えるものであって、複数本であってもよい。
【００１１】
（ハウジング）
ハウジング１０は、ケース９０（図５参照）の油中側（内側に同じ）に突出するハウジング内部分１１と、ケース９０に形成された貫通孔９２を貫通するハウジング中央部分１２と、ケース９０の気中側（外側に同じ）に突出するハウジング外部分１３と、ハウジング内部分１１から突出するように形成され、ケース９０の内壁面９１に対向するハウジングフランジ１４と、ハウジングフランジ１４に形成されたフランジ孔１５と、フランジ孔１５に配置された筒状で通電性のカラー１６とを具備し、ハウジング中央部分１２の外周に環状のＯリング溝１７が形成されている。
【００１２】
（電源端子）
電源端子２０は、ケース９０の油中側に突出した電源端子内部分２１と、ハウジング中央部分１２を貫通した電源端子埋設部分２２と、ケース９０の気中側に突出した電源端子外部分２３とを具備し、電源端子外部分２３の周囲とハウジング外部分１３との間に封止剤１８が塗布されている。
【００１３】
（接地端子）
接地端子３０は、ケース９０の油中側に突出した接地端子内部分３１と、ハウジング内部分１１に埋設された接地端子埋設部分３２と、ハウジング内部分１１から突出し、ハウジングフランジ１４の油中側の面（内側の面に同じ）に対向した接地端子屈曲部分３４と、接地端子屈曲部分３４に形成された接地端子孔３５とを具備している。すなわち、接地端子３０は接地端子埋設部分３２において、Ｌ字状に折り曲げられている。
なお、接地端子孔３５は断面円形に限定するものではなく、Ｃ字状や半円状の切り欠きであってもよい。また、接地端子３０は曲げ加工された板材に限定するものではなく、線材であってもよい。
【００１４】
（作用効果）
図４の（ａ）において、コネクタ１００は、ハウジング中央部分１２を電源端子２０のみが貫通し、接地端子３０はハウジング中央部分１２を貫通していない。そのため、Ｏリング溝１７の範囲（斜線にて示す）は、外径Ｗ１になっている。
図４の（ｂ）において、従来技術のコネクタでは、ハウジング中央部分１２を電源端子および接地端子の両方が貫通するため、Ｏリング溝１７の範囲（斜線にて示す）は、外径Ｗ１よりも大きな外径Ｗ２（Ｗ１＜Ｗ２）になっている。
すなわち、コネクタ１００は、Ｏリング溝１７の外径Ｗ１を小さくすることが可能になるため、全体の大きさ（特に外径）の小型化が促進されている。
【００１５】
（コネクタの取り付け構造）
図５および図６は、本発明の実施の形態１に係るコネクタについてその取り付け構造を示すものであって、図５は側面視の断面図、図６は一部を示す斜視図である。
図５および図６において、コネクタの取り付け構造２００は、コネクタ１００が、ケース９０の油中側から気中側に向けてケース９０の内壁面９１に取り付けられたものである。すなわち、ハウジング１０のＯリング溝１７にＯリング９７が設置され、ハウジング中央部分１２はケース９０に形成された貫通孔９２を液密的に貫通している。そして、ハウジングフランジ１４の気中側の面（外側の面に同じ）がケース９０の内壁面９１に僅かのすき間を介して対向、あるいは当接している。さらに、接地端子孔３５およびカラー１６を貫通するボルト９５が内壁面９１に設置され、カラー１６は接地端子屈曲部分３４と内壁面９１とに挟圧されている。
【００１６】
（作用効果）
以上のように、コネクタの取り付け構造２００は、接地端子３０の接地端子屈曲部分３４がカラー１６に押し付けられ、カラー１６は内壁面９１に押し付けられているから、接地端子３０はカラー１６を介してハウジング１０に接地（アース）されている。
また、ハウジング１０のハウジング中央部分１２がハウジング１０の貫通孔９２に侵入すると共に、接地端子孔３５を貫通したボルト９５は内壁面９１に設置されているから、コネクタ１００は位置決めされ、ボルト９５によって固定されている。
すなわち、１本のボルト９５によって、通電と取り付けの両方がなされるため、部品点数が減少すると共に、取り付け作業が簡素になっている。
なお、ボルト９５と接地端子屈曲部分３４との間にワッシャーを配置してもよい。また、ボルト９５およびワッシャー（図示しない）は通常鋼製であるから、これらを介しても接地端子３０はハウジング１０に接地（アース）されている。
【００１７】
［実施の形態２］
（コネクタ）
図７は本発明の実施の形態２に係るコネクタについてその取り付け構造を示す側面視の断面図である。なお、実施形態１におけるコネクタ１００と同じ部位または相当する部位については同じ名称および同じ符号を付し、一部の説明を省略する。
【００１８】
図７において、コネクタ３００では、ハウジングフランジ１４がハウジング内部分１１に形成されてケース９０の内壁面９１に対向している。また、接地端子３０の接地端子屈曲部分３４は、ハウジング内部分１１を貫通してハウジング外部分１３から突出し、ハウジングフランジ１４の気中側（外側に同じ）の面に沿って配置されている。
そのため、コネクタ３００が取り付けられているコネクタの取り付け構造４００では、接地端子３０の接地端子屈曲部分３４がハウジングフランジ１４の気中側の面（外側に同じ）とケース９０の内壁面９１との間に配置され、ボルト９５がカラー１６を接地端子屈曲部分３４に押し付け、接地端子屈曲部分３４の少なくとも接地端子孔３５の周囲が内壁面９１に直接押し付けられている。
【００１９】
（作用効果）
したがって、コネクタ３００はコネクタ１００（実施の形態１）よりも、接地端子埋設部分３２の長さが、ハウジングフランジ１４の厚さ分だけ長くなるものの、コネクタ１００と同様に、接地端子３０はハウジング中央部分１２を貫通しないから、小型化を促進することができる。
また、コネクタの取り付け構造４００はコネクタの取り付け構造２００と同様に、１本のボルト９５によって、通電と取り付けの両方がなされるため、部品点数が減少すると共に、取り付け作業が簡素になる。なお、直接接地によるから、カラー１６は通電に寄与しないため、非通電性の材料であってもよい。また、接地端子屈曲部分３４の接地端子孔３５から離れた範囲は内壁面９１から離れていてもよい。
【００２０】
［実施の形態３］
（コネクタ）
図８は本発明の実施の形態３に係るコネクタについてその付け構造を示す側面視の断面図である。なお、実施形態１におけるコネクタ１００と同じ部位または相当する部位については同じ名称および同じ符号を付し、一部の説明を省略する。
【００２１】
図８において、コネクタ５００は、ハウジングフランジ１４がハウジング内部分１１に代えて、ハウジング外部分１３に形成され、接地端子３０の接地端子埋設部分３２はハウジング中央部分１２を貫通し、接地端子屈曲部分３４はハウジング外部分１３から突出してハウジングフランジ１４の油中側の面（内側の面に同じ）に対向している。
そして、コネクタの取り付け構造６００は、コネクタ５００がケース９０の気中側から油中側に向けてケース９０の外壁面９３に取り付けられたものである。すなわち、ハウジング中央部分１２は貫通孔９２を液密的に貫通し、ハウジングフランジ１４の油中側の面がケース９０の外壁面９３に僅かのすき間を介して対向、あるいは当接している。そして、カラー１６および接地端子孔３５を貫通するボルト９５が外壁面９３に設置され、カラー１６は、ボルト９５と接地端子屈曲部分３４とによって挟圧されている。
すなわち、コネクタの取り付け構造６００では、接地端子３０の接地端子屈曲部分３４がハウジングフランジ１４の油中側の面（内側の面に同じ）とケース９０の外壁面９３との間に配置され、ボルト９５がカラー１６を接地端子屈曲部分３４に押し付け、接地端子屈曲部分３４の少なくとも接地端子孔３５の周囲が外壁面９３に直接押し付けられている。
【００２２】
（作用効果）
したがって、コネクタ５００はコネクタ１００（実施の形態１）よりも、接地端子３０の長さが長くなり、ハウジング中央部分１２が大きくなるものの、コネクタの取り付け構造６００は、コネクタの取り付け構造２００と同様に、１本のボルト９５によって、通電と取り付けの両方がなされるため、部品点数が減少すると共に、取り付け作業が簡素になる。
なお、直接接地によって、カラー１６は通電に寄与しないから、非通電材料であってもよい。また、接地端子屈曲部分３４の接地端子孔３５から離れた範囲が内壁面９１から離れていてもよい。さらに、接地端子屈曲部分３４をハウジングフランジ１４の気中側の面に対向して配置し、ボルト９５が接地端子屈曲部分３４をカラー１６に押し付け、カラー１６が外壁面９３に押し付けられるようにしてもよい。
【００２３】
以上、本発明を実施の形態１〜３をもとに説明した。この実施の形態１〜３は例示であり、それらの各構成要素およびその組合せにいろいろな変形例が可能なこと、またそうした変形例も本発明の範囲にあることは当業者に理解されるところである。このとき、電源端子は複数であってもよい。
【産業上の利用可能性】
【００２４】
本発明は以上であるから、様々な容器に取り付けられる各種コネクタとして広く利用することができる。
【符号の説明】
【００２５】
１０：ハウジング
１１：ハウジング内部分
１２：ハウジング中央部分
１３：ハウジング外部分
１４：ハウジングフランジ
１５：フランジ孔
１６：カラー
１７：Ｏリング溝
１８：封止剤
２０：電源端子
２１：電源端子内部分
２２：電源端子埋設部分
２３：電源端子外部分
３０：接地端子
３１：接地端子内部分
３２：接地端子埋設部分
３４：接地端子屈曲部分
３５：接地端子孔
９０：ケース
９１：内壁面
９２：貫通孔
９３：外壁面
９５：ボルト
９７：Ｏリング
１００：コネクタ（実施の形態１）
２００：コネクタの取り付け構造
３００：コネクタ（実施の形態２）
４００：コネクタの取り付け構造
５００：コネクタ（実施の形態３）
６００：コネクタの取り付け構造
【図１】
2019139838.tif 000003
【図２】
2019139838.tif 000004
【図３】
2019139838.tif 000005
【図４】
2019139838.tif 000006
【図５】
2019139838.tif 000007
【図６】
2019139838.tif 000008
【図７】
2019139838.tif 000009
【図８】
2019139838.tif 000010